(57)【要約】  【課題】待機電力を低減し、ＧＵＩの操作に対する応答の低下を防止し、ビデオ信号の無線伝送の通信チャンネルの設定を別の無線伝送路によって行う。  【解決手段】メディアモニタ１００とメディアボックス２００との間がビデオ信号伝送用の第１の無線伝送路（５ＧHz帯）と、コントロール信号伝送用の第２の無線伝送路（２．４ＧHz帯）とで接続されている。メディアボックス２００にＧＵＩのアプリケーションが実装され、メディアモニタ１００の表示パネル１０１の画面を使用してＧＵＩの操作がなされる。ＧＵＩの操作のためのコントロール信号が第２の無線伝送路を通じてなされる。待機時には、第２の無線伝送路を構成する通信モジュールのみが待機状態とされ、待機電力が低減される。ＧＵＩのコントロール信号の伝送を支障なく行うことができ、ユーザ操作に対する応答が遅くなることが防止できる。【選択図】図３
2010103591.tif 000002
【特許請求の範囲】
【請求項１】
無線でビデオ信号を受信するビデオ信号受信部と、上記ビデオ信号受信部からの受信ビデオ信号を表示する表示装置および該表示装置に表示される画像の画質を制御する画質制御部と、無線で制御信号の送受信を行う第１の制御信号送受信部と、電源ＯＮ／ＯＦＦおよび上記画質制御部を制御する第１の制御部とを有するモニタ・受信装置と、
テレビジョン放送受信部と、複数のビデオ信号を入力するためのビデオ信号入力部と、上記テレビジョン放送受信部および上記ビデオ信号入力部の一方からのビデオ信号を無線で上記ビデオ信号受信部に対して送信するビデオ信号送信部と、上記第１の制御信号送受信部との間で制御信号の送受信を行う第２の制御信号送受信部と、キー入力部と、電源ＯＮ／ＯＦＦと、上記表示装置の画面を使用するユーザインターフェース、上記テレビジョン放送受信部の受信処理および上記ビデオ信号入力部の入力選択処理を制御する第２の制御部とを有する制御・送信装置とを備え、
上記ビデオ信号送信部および上記ビデオ信号受信部で構成される第１の無線伝送路の消費電力が上記第１の制御信号送受信部および上記第２の制御信号送受信部で構成される第２の無線伝送路の消費電力に比してより高いものとされ、
上記ユーザインターフェースのためのコントロール信号が上記第１および第２の制御信号送受信部によって通信され、
待機状態では、上記第１および第２の無線伝送路の内の上記第２の無線伝送路のみが通信を可能とされた表示装置。
【請求項２】
さらに、上記モニタ・受信装置がリモートコントロールコマンダからのリモートコントロール信号を受信するリモートコントロール信号受信部を有し、
上記リモートコントロールコマンダから上記リモートコントロール信号受信部が受信した制御信号が上記ユーザインターフェースの制御信号として上記第２の無線伝送路を介して上記制御・送信装置の上記第２の制御部に転送される請求項１記載の表示装置。
【請求項３】
上記第１の無線伝送路の通信チャンネルが複数存在し、使用する通信チャンネルを設定する操作が上記ユーザインターフェースによってなされ、通信チャンネルの変更が上記第２の無線伝送路を介して上記モニタ・受信装置から上記制御・送信装置へ通知される請求項１記載の表示装置。
【請求項４】
上記制御・送信装置の上記キー入力部のキーが上記ユーザインターフェースのカーソル移動機能とプログラムおよび音量の一方を変更する機能とを有し、
上記キー入力部のキーが押される時に、押されたキーの情報を上記第２の無線伝送路を通じてやりとりし、上記押されたキーの機能を判定する請求項１記載の表示装置。
【請求項５】
上記第１の無線伝送路を構成するために、上記ビデオ信号送信部と上記ビデオ信号受信部との間で識別子を交換する場合に、上記第２の無線伝送路を通じて上記識別子を交換する請求項１記載の表示装置。
【請求項６】
モニタ・受信装置に設けられた表示装置の画面表示を利用するユーザインターフェースのアプリケーションが上記モニタ・受信装置と第１および第２の無線伝送路を介して接続された制御・送信装置に実装され、
上記第１の無線伝送路を通じて上記制御・送信装置から上記モニタ・受信装置に対してビデオ信号が伝送され、
上記制御・送信装置のキー入力で生成されるコントロール信号が上記第２の無線伝送路を介して上記モニタ・受信装置に送信されることによって上記ユーザインターフェースの操作がなされる無線伝送制御方法。
【請求項７】
上記第１の無線伝送路の通信チャンネルが複数存在し、使用する通信チャンネルを設定する操作が上記ユーザインターフェースによってなされ、通信チャンネルの変更が上記第２の無線伝送路を介して上記モニタ・受信装置から上記制御・送信装置へ通知される請求項６記載の無線伝送制御方法。
【請求項８】
上記制御・送信装置の上記キー入力部のキーが上記ユーザインターフェースのカーソル移動機能とプログラムおよび音量の一方を変更する機能とを有し、
上記キー入力部のキーが押される時に、押されたキーの情報を上記第２の無線伝送路を通じてやりとりし、上記押されたキーの機能を判定する請求項６記載の無線伝送制御方法。
【請求項９】
上記第１の無線伝送路を構成するために、識別子を交換する場合に、上記第２の無線伝送路を通じて上記識別子を交換する請求項６記載の無線伝送制御方法。
【発明の詳細な説明】
【技術分野】
【０００１】
この発明は、例えば壁に貼ることができるテレビジョン表示装置に適用できる表示装置および無線伝送制御方法に関する。
【背景技術】
【０００２】
近年、液晶表示装置、有機ＥＬ(Electroluminescence:電界発光効果)パネル等のビデオ表示パネルは、薄型化、軽量化が進み、家庭の壁に貼り付けることが可能となっている。しかしながら、壁に貼り付けた表示パネルからケーブルが出ていることは、美観を損ない、設置場所の制約の原因となる。ケーブルを使用しないで、表示パネルに必要なビデオ信号等を伝送することは、既に実用化されている。
【０００３】
ビデオ信号の無線伝送は、比較的伝送速度が速い無線ＬＡＮを使用してなされている。無線ＬＡＮとしては、２．４ＧHz帯を使用し、伝送速度が１１ＭbpsのＩＥＥＥ(Institute of Electrical and Electronics Engineers)８０２．１１ｂと、５ＧHz帯を使用し、伝送速度が５４ＭbpsのＩＥＥＥ８０２．１１ａとが知られている。例えば下記の特許文献
１には、無線伝送の対象のデジタルテレビジョン信号が高精細度の場合では、５ＧHz帯の無線伝送で信号を伝送し、標準精細度の場合では、２．４ＧHz帯の無線伝送で信号を伝送することが記載されている。
【０００４】
【特許文献１】特開２００３−３０４４１２号公報
【発明の開示】
【発明が解決しようとする課題】
【０００５】
表示パネル側は、軽量であることが望ましいので、テレビジョン放送の受信および復号等の表示以外の処理を行う本体部が別個に設けられる。表示パネルと本体部との間で、映像音声データとコントロール用データとを一つの無線伝送路でやりとりすると、以下のような問題が生じる。
【０００６】
本体部の電源ＯＮに表示パネルの電源ＯＮを連動させたい場合、または逆に、表示パネルの電源ＯＮに本体部の電源ＯＮを連動させたい場合、映像音声送受信用無線モジュールに常に電源を供給しておく必要がある。その結果、待機電力は、最低でもそのモジュールの消費電力となる。なお、モジュールとは、複数のＩＣ回路によって構成され、無線（送信または受信）機能を実現する回路のことである。通常、映像音声を５ＧHz帯で無線で送信する場合、無線周波数が高く、データ伝送速度が速いので、モジュールの消費電力が高く、システム全体の待機電力が高くなる。
【０００７】
ビデオオーディオデータを大量に送受信する必要があり、コントロール用に送受信できるデータ量が限られてしまう。最近のテレビジョン受信装置では、種々の設定、入力信号の切り替え、放送チャンネルの選局等が表示パネルの画面を使用したＧＵＩ(Graphical User Interface)によって行われる。ビデオオーディオデータとコントロール用データとが一つの無線伝送路を介して伝送される場合には、コントロール用のデータ量が多いので、この種のＧＵＩを実現することが難しくなる。例えばユーザ操作に対する反応時間が長くなるの問題が生じるおそれがある。
【０００８】
したがって、この発明の目的は、表示パネルと本体部との間に一つの無線伝送路しか存在しない場合に生じる上述した問題点を解決する表示装置および無線伝送制御方法を提供することにある。
【課題を解決するための手段】
【０００９】
上述の課題を解決するために、この発明は、無線でビデオ信号を受信するビデオ信号受信部と、ビデオ信号受信部からの受信ビデオ信号を表示する表示装置および該表示装置に表示される画像の画質を制御する画質制御部と、無線で制御信号の送受信を行う第１の制御信号送受信部と、電源ＯＮ／ＯＦＦおよび画質制御部を制御する第１の制御部とを有するモニタ・受信装置と、
テレビジョン放送受信部と、複数のビデオ信号を入力するためのビデオ信号入力部と、テレビジョン放送受信部およびビデオ信号入力部の一方からのビデオ信号を無線でビデオ信号受信部に対して送信するビデオ信号送信部と、第１の制御信号送受信部との間で制御信号の送受信を行う第２の制御信号送受信部と、キー入力部と、電源ＯＮ／ＯＦＦと、表示装置の画面を使用するユーザインターフェース、テレビジョン放送受信部の受信処理およびビデオ信号入力部の入力選択処理を制御する第２の制御部とを有する制御・送信装置とを備え、
ビデオ信号送信部およびビデオ信号受信部で構成される第１の無線伝送路の消費電力が第１の制御信号送受信部および第２の制御信号送受信部で構成される第２の無線伝送路の消費電力に比してより高いものとされ、
ユーザインターフェースのためのコントロール信号が第１および第２の制御信号送受信部によって通信され、
待機状態では、第１および第２の無線伝送路の内の第２の無線伝送路のみが通信を可能とされた表示装置である。
【００１０】
この発明は、モニタ・受信装置に設けられた表示装置の画面表示を利用するユーザインターフェースのアプリケーションがモニタ・受信装置と第１および第２の無線伝送路を介して接続された制御・送信装置に実装され、
第１の無線伝送路を通じて制御・送信装置からモニタ・受信装置に対してビデオ信号が伝送され、
制御・送信装置のキー入力で生成されるコントロール信号が第２の無線伝送路を介してモニタ・受信装置に送信されることによってユーザインターフェースの操作がなされる無線伝送制御方法である。
【発明の効果】
【００１１】
この発明によれば、消費電力の低い制御信号送受信用の無線モジュールのみを待機状態とするので、待機時の消費電力を低減することができる。この発明では、ユーザインターフェースのためのコントロール信号をビデオ信号の伝送用の第１の無線伝送路とは別の第２の無線伝送路を介してやりとりするので、コントロール信号のデータ量が多い場合も支障なくコントロール信号をやりとりできる。さらに、ユーザの操作に対する応答が遅くなる問題を生じない。第１の無線伝送路によって通信ができない場合に、モニタ・受信装置側のユーザインターフェースの操作によって無線通信チャンネルを新たに設定することができる。
【発明を実施するための最良の形態】
【００１２】
以下、この発明を実施するための最良の形態（以下実施の形態とする）について説明する。なお、以下に説明する実施の形態は、この発明の好適な具体例であり、技術的に好ましい種々の限定が付されているが、この発明の範囲は、以下の説明において、特にこの発明を限定する旨の記載がない限り、これらの実施の形態に限定されないものとする。
【００１３】
＜一実施の形態＞
「システムの概略」
一実施の形態は、図１に示すように、家庭の例えば壁に貼られたモニタ・受信装置１００と、モニタ・受信装置１００と第１および第２の無線伝送路を介して接続された制御・送信装置２００とから構成される。モニタ・受信装置１００を以下の説明では、メディアモニタ１００と称する。制御・送信装置２００を以下の説明では、メディアボックス２００と称する。
【００１４】
メディアボックス２００は、メディアモニタ１００と同じ部屋に設置される必要がなく、コントロール情報の無線伝送の到達距離内であれば任意の場所に設置できる。メディアモニタ１００に対してリモートコントロールコマンダ（以下、単にコマンダと適宜称する）１２０からリモートコントロール信号が送出される。リモートコントロール信号は、２．４ＧHz帯の無線伝送路を介して送信される。
【００１５】
メディアボックス２００に対してテレビジョンアンテナ２２０が接続され、テレビジョン放送をメディアボックス２００が受信可能とされている。メディアボックス２００に対して外部のビデオ信号源として、ＢＤ（Blu-ray Disc）レコーダ２３０がＨＤＭＩ(High-definition multimedia interface)で接続される。ＨＤＭＩを通じてデジタルのビデオオーディオ信号とコントロール信号とが伝送される。
【００１６】
さらに、メディアボックス２００に対してＤＶＤ(Digital Versatile Disc)プレーヤ２４０が接続される。ＤＶＤプレーヤ２４０からのアナログビデオ信号がメディアボックス２００に供給される。ＤＶＤプレーヤ２４０をメディアボックス２００がリモートコントロールするために、Ｉｒ(Infrared)ブラスタ（ＡＶマウスとも称される）２４１がＤＶＤプレーヤ２４０に対して取り付けられる。
【００１７】
「リモートコントロールシステム」
コマンダ１２０は、図２Ａに示すように、無線電波を送受信するためのアンテナ１２１と、通信機能、記憶媒体の読み書き動作、各種キー入力に対応するプログラムを動作させる制御部としてのマイクロプロセッサ（以下、ＣＰＵ(Central Processing Unit) と称する）１２２と、無線通信のための通信部１２３と、ペアリング相手先の識別情報ＩＤを記憶する記憶媒体１２４と、自身のＩＤを記憶する記憶媒体１２５と、キーを有するキー入力部１２６とを有している。記憶媒体１２４および１２５が例えば書き込み可能な不揮発性メモリによって構成されている。ＣＰＵ１２２は、ＲＯＭ（Read Only Memory）、ＲＡＭ（Random Access Memory）などを含み、ＲＯＭなどに記憶されたプログラムを実行することにより、コマンダ１２０の各部を統括的に制御する。
【００１８】
識別情報としては、例えばＭＡＣアドレスと同等のＩＤであるＥＵＩ６４(64-bit Extended Unique Identifier) を使用することができる。ペアリング動作時並びに通常通信動作時において、識別情報が送信元、送信先の情報として使用される。ＥＵＩ６４は、通信機器のインターフェースに割り当てられる６４ビットの識別情報である。コマンダ１２０は、メディアモニタ１００と同梱され、メディアモニタ１００に専用のリモートコントローラとされている。
【００１９】
リモートコントロールシステムの受信装置（以下、受信モジュールと適宜称する）１３０がメディアモニタ１００に設けられている。図２Ｂに示すように、受信モジュール１３０は、無線電波を送受信するためのアンテナ１３１と、通信機能、記憶媒体の読み書き動作、各種キー入力に対応するプログラムを動作させるＣＰＵ１３２と、無線通信のための通信部１３３と、自身のＩＤ例えばＥＵＩ６４を記憶する記憶媒体１３６と、メディアモニタ１００の制御部との間の外部インターフェース１３７とを有している。ＣＰＵ１３２は、受信モジュール１３０の各部を統括的に制御する。
【００２０】
さらに、受信モジュール１３０には、ペアリング相手先（接続先リモートコントローラ）１２０のＩＤ例えばユニークＩＤ（ＥＵＩ６４）が予め書き込まれている記憶媒体１３４が備えられている。さらに、他のリモートコントローラのユニークＩＤを記憶できる構成とすれば、メディアモニタ１００を他のリモートコントローラによって操作することが可能となる。記憶媒体１３４，１３５および１３６が例えば不揮発性メモリによって構成されている。
【００２１】
コマンダ１２０の通信部１２３および受信モジュール１３０の通信部１３３は、所定の無線通信方式で双方向通信を行う。なお、外部インターフェース１３７が接続されたメディアモニタ１００の制御部に対して無線リモートコントロールを介して受信されたコマンドを出力する機能を持つようになされる。
【００２２】
コマンダ１２０の通信部１２３および受信モジュール１３０の通信部１３３は、同一の無線通信方式によって双方向の無線通信が可能とされている。無線通信方式として、例えばＩＥＥＥ８０２．１５．４の物理層を使用することができる。ＩＥＥＥ８０２．１５．４は、ＰＡＮ(Personal Area Network) またはＷ(Wireless)ＰＡＮと呼ばれる短距離無線ネットワーク規格の名称である。
【００２３】
この規格の通信レートは、数１０ｋ〜数１００ｋbps であり、通信距離は、数１０ｍ〜数１００ｍになる。また、通信は、フレームの単位で行われる。１フレームは、ペイロード（０〜１２７バイト）にヘッダ（６バイト）で、最大１３３バイトのサイズとされる。この通信方式では、送受信方法として複数の形態が可能であるが、一実施の形態のようにリモートコントロールシステムの場合では、最も簡単な方法、すなわち、コマンダ１２０から受信モジュール１３０に対してコマンドを送信し、受信モジュール１３０からの応答をコマンダ１３０が受け取る方法が採用される。リモートコントロールシステムの通信規格は、２．４ＧHz帯の無線通信の規格である。
【００２４】
「システムの各部の説明」
図３に示すように、メディアモニタ１００は、液晶等の表示パネル１０１と受信・制御装置１０２とを有する。図３において、実線で示す信号経路がビデオオーディオ信号の伝送路であり、破線で示す信号経路がコントロール信号の伝送路である。受信・制御装置１０２は、受信用無線モジュール１０３を有する。受信用無線モジュール１０３は、メディアボックス２００の送信用無線モジュール２０３からのビデオオーディオ信号を受信する。無線モジュール１０３および２０３は、例えば５ＧHz帯を使用し、伝送速度が５４ＭbpsのＩＥＥＥ８０２．１１ａの無線ＬＡＮをベースとする規格でもって、ビデオオーディ
オ信号を伝送する。無線モジュール１０３および２０３によって第１の無線伝送路が構成される。ビデオオーディオ信号と同期するクロック情報も第１の無線伝送路を通じて伝送される。
【００２５】
例えば５ＧHz帯の１８ＭHzの周波数チャンネルを使用して１．５Ｇビット／秒のデータ伝送を実現し、非圧縮の１０８０ｉ／７２０ｐのＨＤ（高精細度）テレビジョン信号を送信できる送受信ＩＣ（WHD;Wireless High-definition Interface（商標）)が既に実用化
されている。但し、この発明では、かかる伝送方式に限定されず、６０ＧHz帯を使用する伝送方式、ＵＷＢ(Ultra wideband)方式等を使用するようにしても良い。
【００２６】
無線モジュール１０３で受信されたデジタルビデオ信号がパネル制御部１０４を通じて表示パネル１０１に供給され、表示パネル１０１に表示される。無線モジュール１０３で受信されたデジタルオーディオ信号がオーディオ制御部１０５に供給され、スピーカ１０６Ｌ，１０６Ｒによってステレオ再生される。
【００２７】
コマンダ１２０からのリモートコントロール信号が受信モジュール１０７によって受信される。受信されたリモートコントロール信号が制御部１１０に供給される。受信モジュール１０７は、図２Ｂに示す構成を有している。コマンドに対応する信号フォーマットとしては、例えば既存の赤外線リモートコントローラに関するものと同様のフォーマットが使用される。制御部１１０は、例えば、ＣＰＵ、ＲＯＭ、ＲＡＭなどから構成されるマイクロコンピュータであり、ＲＯＭなどに記憶されたプログラムを実行することにより、各部を統括的に制御する。
【００２８】
コマンダ１２０は、通常のテレビジョン受像機に対するコマンダと同様に、電源のＯＮ／ＯＦＦキー、チャンネルの切り替えキー、音量の制御キー、入力ビデオ信号の切り替えスイッチ、ホームメニューを表示させるためのメニューキー、ホームメニューにおいてカーソルを移動させるための移動キー、カーソルによる選択を決定する決定キー等を有している。
【００２９】
ホームメニューの一部は、以下のものである。
設定メニュー：画質設定メニュー、音質設定メニュー、画面モード、外部入出力設定、ＨＤＭＩ設定等の設定を行う。
選局設定メニュー：アナログ放送、デジタル放送、衛星放送の切り替えを行う。
外部入力切替メニュー：接続されているビデオオーディオ機器の選択を行う。
【００３０】
コマンダ１２０のホームメニューキーを押すと、表示パネル１０１の画面上に上述したホームメニューの各項目のアイコンが横一列に表示される。横方向の移動キーを操作して所望のアイコンを選択する。例えば設定メニューのアイコンが選択される。設定メニューのアイコンと交差する縦方向に複数の設定（画質設定、音質設定等）のアイコンが表示される。このようなＧＵＩは、ＸＭＢ（クロスメディアバー：登録商標）として知られている。
【００３１】
次に、縦方向の移動キーを操作して例えば画質設定が選択される。画質設定メニューのアイコンの横に画質設定の各項目のアイコンが表示される。例えば画質モード、ピクチャ、明るさ、色の濃さ等のアイコンが表示される。設定したい対象のアイコンを横方向の移動キーによって選択し、さらに、設定内容を縦方向の移動キーによって選択する。
【００３２】
音質設定は、高音部分の調整、低音部分の調整、バランス調整等が上述した画質調整と同様に行われる。このように、コマンダ１２０に設けられている方向キーの操作によって各種の設定を行うことができる。ＧＵＩのアプリケーションは、メディアボックス２００に実装されており、コマンダ１２０は、カーソルを移動させ、選択を決定するための入力装置として機能する。ＧＵＩの入力操作に対応する信号がメディアボックス２００に伝送される。さらに、メディアモニタ１００の電源ＯＮ／ＯＦＦボタンの操作によるリモートコントロール信号、チャンネル選択ボタンの操作によるリモートコントロール信号、音量調整ボタンの操作によるリモートコントロール信号等は、ＧＵＩの入力操作以外の操作で発生する信号である。かかるＧＵＩの操作以外のリモートコントロール信号であって、メディアモニタ１００の制御に関するリモートコントロール信号は、メディアモニタ１００に供給される必要がない。但し、メディアモニタ１００に送信しても良い。
【００３３】
上述したコマンダ１２０の操作（ＧＵＩに対する操作、チャンネル切替操作等）によるリモートコントロール信号がメディアモニタ１００の受信モジュール１０７で受信され、制御部１１０にリモートコントロール信号が供給される。制御部１１０は、ＧＵＩの制御がメディアボックス２００側でなされるので、受信したリモートコントロール信号をメディアボックス２００に転送し、制御用のコマンドをメディアボックス２００から受信する。すなわち、制御部１１０は、ＧＵＩ操作と対応する制御コマンドによって画質設定および音質設定を行う。画質設定は、パネル制御部１０４によってなされる。音質設定および音量調整は、オーディオ制御部１０５においてなされる。音量調整に関しては、コマンダ１２０の音量制御の操作に対応してＧＵＩ操作によらず、直接的に制御される。
【００３４】
画質設定、音質設定および音量調整は、モニタ側制御項目である。モニタ側制御項目以外の選局設定メニュー、外部入力切替メニュー等の調整は、メディアボックス２００における制御によって実行される。モニタ側制御項目以外の制御項目は、本体側制御項目である。
【００３５】
リモートコントロール信号を受け取った制御部１１０がメディアボックス２００に対してリモートコントロール信号のコマンドを転送し、メディアボックス２００で生成されたモニタ側制御項目に関するコマンドをメディアモニタ１００が受信するようになされる。メディアモニタ１００に送信モジュール１０８および受信モジュール１０９が設けられている。
【００３６】
送信モジュール１０８および受信モジュール１０９は、メディアボックス２００に設けられた送信モジュール２０８および受信モジュール２０９との間で双方向通信を行う第２の無線伝送路が構成される。第２の無線伝送路は、２．４ＧHz帯を使用する上述したリモートコントロールシステムと同様のＩＥＥＥ８０２．１５．４の規格を使用できる。識別子を異ならせることによって、リモートコントロール用の無線伝送路とコントロール信号送受信用の無線伝送路とが共存できる。この規格以外に、２．４ＧHz帯を使用する伝送速度が１１ＭbpsのＩＥＥＥ８０２．１１ｂの規格を使用しても良い。第２の無線伝送路の
消費電力は、動作時および待機時の何れにおいてもビデオオーディオ信号を伝送するための第１の無線伝送路（無線モジュール１０３および２０３）に比して少ないものである。第２の無線伝送路を通じてＧＵＩに必要なデータがメディアボックス２００からメディアモニタ１００に対して伝送される。
【００３７】
メディアボックス２００には、テレビジョン放送を受信するためのフロントエンド２０１２が設けられている。フロントエンド２０１に対してテレビジョンアンテナ２２０で受信された信号が供給される。フロントエンド２０１は、テレビジョン放送を選局するためのチューナ等が含まれている。フロントエンド２０１と関連してデジタル放送処理部２０２が設けられている。デジタル放送処理部２０２によって選局動作が制御され、受信したテレビジョン信号の復号等がなされる。受信したテレビジョン放送のビデオオーディオ信号がビデオオーディオ（ＡＶ）処理部２０５に供給される。デジタル放送処理部２０２が行う選局動作は、制御部２１０によって制御される。制御部２１０は、例えば、ＣＰＵ、ＲＯＭ、ＲＡＭなどから構成されるマイクロコンピュータであり、ＲＯＭなどに記憶されたプログラムを実行することにより、各部を統括的に制御する。
【００３８】
ビデオオーディオ処理部２０５に対して外部機器（ＢＤレコーダ２３０、ＤＶＤプレーヤ２４０）からのビデオオーディオ信号が供給される。外部機器が接続される端子としては、複数のＨＤＭＩ端子、パーソナルコンピュータ（ＰＣと表記する）が接続される端子、ＳＣＡＲＴ(Syndicart des Constructeurs d'Appareils)端子、アナログ信号入力端子
２０６、２０７等が設けられている。ＳＣＡＲＴ端子は、ビデオ信号とオーディオ信号をまとめて伝送できる接続端子である。
【００３９】
ビデオオーディオ処理部２０５は、受信したテレビジョン放送番組のビデオオーディオ信号、外部機器からのビデオオーディオ信号の中で、選択したビデオオーディオ信号を無線モジュール２０３に供給する。無線モジュール２０３が５ＧHz帯を使用して無線でビデオオーディオ信号を圧縮せずに、メディアモニタ１００の無線モジュール１０３に対して伝送する。ビデオオーディオ処理部が行う信号の切替は、制御部２１０によって制御される。
【００４０】
制御部２１０は、送信モジュール２０８に対して送信するコントロール信号を供給し、受信モジュール２０９からコントロール信号を受け取る。制御部２１０は、Ｉｒブラスタ制御部２１１を制御し、複数のＩｒブラスタ２１２を制御する。さらに、メディアボックス２００がメカニカルなキー２１３を有し、キー２１３からのキー信号が制御部２１３に供給される。
【００４１】
メディアボックス２００は、図４に示すように、キー２１３として、ケースの操作パネルに複数のボタン３１１〜３１６と、電源ボタン３１７とを有している。ボタン３１１がホームメニュー表示ボタンである。ボタン３１２が入力切替ボタンおよび決定ボタンである。ボタン３１３が音量減少およびカーソル移動キー（左方向）である。ボタン３１４が音量増加およびカーソル移動キー（右方向）である。ボタン３１５がチャンネルダウンおよびカーソル移動キー（下方向）である。ボタン３１４がチャンネルアップおよびカーソル移動キー（上方向）である。リモートコントロールのコマンダ１２０と同様の制御を本体のボタン３１１〜３１７によって行うことができる。
【００４２】
メディアボックス２００の制御部２１０は、メディアボックス２００の電源の管理を行い、ＧＵＩに関する制御を行う。さらに、上述したホームメニューの中のメディアモニタ１００が行うモニタ側制御項目以外の本体側制御項目を実行する。例えばフロントエンド２０１およびデジタル放送処理２０２が制御部２１０によって制御され、所望のテレビジョン放送番組を選局できる。
【００４３】
「ボタン操作時の処理」
メディアボックス２００の上述したボタンを押した場合の処理について図５のフローチャートを参照して説明する。ステップＳ１において、ボタンが押される。ステップＳ２において、メニュー表示中か否かが判定される。メニュー表示中であれば、ユーザインターフェースのカーソル制御のために押されたと判定され、操作信号が本体（メディアボックス）のＧＵＩ制御に使用される（ステップＳ３）。
【００４４】
ステップＳ２において、メニュー表示中でないと判定されると、コマンドが第２の無線伝送路を通じてメディアモニタ１００に伝送される。メディアモニタ１００では、ステップＳ４において、モニタ側制御項目のコマンド例えば画質調整コマンドか否かが判定される。モニタ側コマンドと判定されると、メディアモニタの制御に使用される（ステップＳ５）。
【００４５】
若し、モニタ用コマンドでないとステップＳ４において判定されると、メディアモニタ１００がコマンドを第２の無線伝送路を通じてメディアボックス２００に転送する。メディアボックス２００は、当該コマンドをメディアボックス２００の例えばチャンネル切替のコマンドとして扱う。
【００４６】
上述したように、メディアボックス２００に付属するボタンの機能は、音量調整、チャンネル切替と共に、ＧＵＩのホームメニューの表示時には、カーソル移動キーや決定キーとしての機能を有する。ユーザがキーを押した場合に、そのキーがユーザインターフェースに効果があるのか、チャンネル切替、音量調整に効果があるのかを判断する必要がある。この判断は、メディアモニタ１００とメディアボックス２００とがお互いの状態を通知して判断することが可能である。この場合には、その通知が失敗している場合には、正しい判定ができなくなる。この発明の一実施の形態では、上述したように、押されたボタンの情報のみをやりとりし、それぞれが自分の状態のみを判断材料とすることによって、キーによる操作が可能となる。
【００４７】
「メディアボックスとメディアモニタ間の処理」
図６は、第２の無線伝送路を通じてなされるコントロール信号のやりとりの具体例を示す。ステップＳ１１において、メディアボックス２００側が信号を受信する。ステップＳ１２において、メディアモニタ１００に対して入力信号を通知する。ステップＳ１３において、メディアモニタ１００側は、入力信号情報を受け取れたか否かが判定される。
【００４８】
メディアモニタ１００が入力信号情報を受け取ることができたと判定されると、処理が終了する。若し、ステップＳ１３において、メディアモニタ１００が入力信号情報を受けとれなかったと判定されると、ステップＳ１４において、メディアモニタ１００に定期的に通知している情報から必要な値が取り出される。定期的に通知している情報は、最小限必要な情報である。
【００４９】
次に、図７のフローチャートを参照して無線モジュール１０３と無線モジュール２０３の接続時の処理について説明する。ステップＳ２１において、メディアボックス２００の無線モジュール２０３とメディアモニタ１００の無線モジュール１０３との５ＧHz帯接続を行う。ステップＳ２２において、接続が失敗したか否かが判定される。接続が失敗しなかったならば、処理が終了する。
【００５０】
ステップＳ２２において、接続が失敗したと判定されると、ステップＳ２３において、メディアモニタ１００のＧＵＩの無線メニューを開いて無線チャンネルを変更する。ＧＵＩの操作は、メディアボックス１００のキーおよびコマンダ１２０のキーの何れによっても行うことができる。無線チャンネルを変更したことがメディアモニタ１００の送信モジュール１０８からメディアボックス２００の受信モジュール１０９に対して２．４ＧHz帯の第２の無線伝送路を通じて通知される。メディアモニタ１００の無線モジュール１０３の無線チャンネルが変更される。
【００５１】
無線チャンネルの変更の通知を受けたメディアボックス２００は、無線モジュール２０３の無線チャンネルを変更する。処理がステップＳ２１に戻り、変更後の無線チャンネルを通じて無線モジュール１０３と２０３との５ＧHz帯接続が行われる。そして、ステップＳ２２において、接続の成功／失敗が判定される。このように処理が繰り返される。このように、この発明の一実施の形態では、メディアモニタ１００側のユーザインターフェースを使用して通信できる無線チャンネルを探すことができる。
【００５２】
なお、無線モジュール１０３および２０３のペアリングを行う時の識別情報の交換を２．４ＧHz帯の第２の無線伝送路を通じて行うようにすれば、両モジュールを有線で接続する必要がなくなる。
【００５３】
さらに、この発明の一実施の形態では、スタンバイ状態では、無線モジュール１０３および２０３の電源が切断されている。一方、リモートコントロール用受信モジュール１０７と、コントロール信号送受信用の送信モジュール１０８，２０８と、受信モジュール１０９，２０９の電源が供給されている。したがって、メディアモニタ１００およびメディアボックス２００の何れかで電源ＯＮが検出されると、相手側に対して電源ＯＮの情報を送信することによって、相手側の電源をＯＮさせることができる。
【００５４】
通常、５ＧHz帯と高い周波数帯で高速のデータの送受信を行う無線モジュール１０３および２０３は、通常時および待機時において消費電力が高い。一方、２．４ＧHz帯の無線通信を行う、受信モジュール１０７、送信モジュール１０８，２０８、並びに、受信モジュール１０９，２０９は、通常時および待機時において消費電力がより低い。したがって、待機状態における消費電力を低減することができる。
【００５５】
この発明は、上述の実施の形態に限定されるものではなく、この発明の技術的思想に基づく各種の変形が可能である。
【図面の簡単な説明】
【００５６】
【図１】この発明の一実施の形態のシステムの概略的構成を示すブロック図である。
【図２】この発明の一実施の形態におけるリモートコントローラの送信モジュールおよび受信モジュールの構成の一例を示すブロック図である。
【図３】この発明の一実施の形態のブロック図である。
【図４】メディアボックスに設けられたキーの一例を示す略線図である。
【図５】この発明の一実施の形態において、メディアボックスのキーを押した場合の処理を説明するためのフローチャートである。
【図６】この発明の一実施の形態において、メディアボックスからメディアモニタに対して入力信号情報を伝送する場合の処理を説明するためのフローチャートである。
【図７】この発明の一実施の形態において、メディアモニタとメディアボックスとの接続処理を説明するためのフローチャートである。
【符号の説明】
【００５７】
１００・・・・メディアモニタ
１０１・・・・表示パネル
１０２・・・・受信・制御装置
１０３・・・・無線モジュール
１０７，１０９・・・受信モジュール
１０８・・・・送信モジュール
１１０・・・・制御部
１２０・・・・リモートコントロールコマンダ
２００・・・・メディアボックス
２０３・・・・無線モジュール
２０８・・・・送信モジュール
２０９・・・受信モジュール
２１０・・・・制御部
２２０・・・・テレビジョンアンテナ
【図１】
2010103591.tif 000003
【図２】
2010103591.tif 000004
【図３】
2010103591.tif 000005
【図４】
2010103591.tif 000006
【図５】
2010103591.tif 000007
【図６】
2010103591.tif 000008
【図７】
2010103591.tif 000009